(57)【要約】【課題】  腰痛防止効果を高めると同時に腹部に対する圧迫感を最小限度とし、さらには、より安価に提供できるようにした。【解決手段】  パンツ・トランクスなどの類のウエスト部に設けた伸縮性の帯体２の上下方向の幅を、前部（腹部）２ａ側よりも後部（背部）２Ａ側の方を広幅に形成するとともに、帯体２に、遠赤外線、超電磁波、磁気、マイナスイオンなどの放射などにより人体に良い影響を与える物質３を施すようにした。【選択図】      図１
0003111055.tif 000002
【実用新案登録請求の範囲】
【請求項１】
ウエスト部に伸縮性の帯体を有するパンツ・トランクスなどの類において、前記帯体は、その上下方向の幅が、前部（腹部）側よりも後部（背部）側の方が広幅に形成されていることを特徴とするパンツ・トランクスなどの類。
【請求項２】
ウエスト部に伸縮性の帯体を有するパンツ・トランクスなどの類において、前記帯体は、その上下方向の幅が、前部（腹部）側よりも後部（背部）側の方が広幅に形成され、該帯体には、遠赤外線、超電磁波、磁気、マイナスイオンなどの放射などにより人体に良い影響を与える物質が施されていることを特徴とするパンツ・トランクスなどの類。
【請求項３】
前記帯体に施される前記人体に良い影響を与える物質は、トルマリンや竹炭などの天然鉱石の配合によりマイナスイオンを放出する物質であって、前記帯体に使用されるポリウレタンゴムに粉体状若しくは粒体状とした前記物質が練り込むようにして設けられていることを特徴とする請求項２記載のパンツ・トランクスなどの類。
【請求項４】
前記帯体は、その前部（腹部）の上下幅（ａ）と後部（背部）の上下幅（Ａ）との比が、略３対５とされていることを特徴とする請求項１〜３のいずれか１項に記載のパンツ・トランクスなどの類。
【考案の詳細な説明】
【技術分野】
【０００１】
本考案は、トランクス、パンツ、パンティー、ステテコなどの履いて使用する下着若しくはショートパンツ、トレーニングパンツなどのスポーツ着の類に関し、特に、そのウエスト部に設けられるゴム質伸縮性の帯体に関するものである。
【背景技術】
【０００２】
従来、腰痛を防止する目的で、この種下着などのウエスト部に設けられた伸縮性帯体に、遠赤外線、超電磁波、磁気などを放射する物質を施すことが提案されている（下記特許文献１参照）。
【特許文献１】特開２００１−１７０１９２号公報
【０００３】
ところが従来の上記考案では、伸縮性帯体の幅が、前後で同一であり、上記人体に良い影響を与える物質が人体の腰部に十分作用するように、帯体を広幅とすると、屈む際に腹部に圧迫感が生じ、屈みにくい。また、帯体を細幅とすると、上記物質が腰部に作用する面積が小さくなり、その効果が十分とはならない。また、上記の放射性物質は高価であるところから、上記帯体を全体として広幅として放射性物質を施した場合、製品単価が高価となることは避けられない。
【考案の開示】
【考案が解決しようとする課題】
【０００４】
本考案は、上記のような事情に基づいてなされたもので、その目的とするところは、上記パンツ・トランクスなどの類において、その伸縮性帯体の上下幅を、その前部（腹部）側よりも後部（背部）側の方を広幅とすることにより、腰痛防止効果を高めると同時に腹部に対する圧迫感を最小限度とし、さらには、より安価に提供できるようにしたことを目的とするものである。
【課題を解決するための手段】
【０００５】
このため、請求項１の考案は、図示の実施例に明示しているように、ウエスト部に伸縮性の帯体２を有するパンツ・トランクスなどの類において、前記帯体２は、その上下方向の幅が、前部（腹部）２ａ側よりも後部（背部）２Ａ側の方が広幅に形成されていることを特徴とする。
【０００６】
このような構成とすることにより、広幅の後部（背部）２Ａ側が人体の腰部に十分な幅をもってフィットし、腰部を支持し、腰痛の防止を図ることができる。しかも、前部（腹部）２ａ側は幅狭であるところから、腹部に対する圧迫感を最小限度とすることができる。
【０００７】
また、上記帯体２には、遠赤外線、超電磁波、磁気、マイナスイオンなどの放射などにより人体に良い影響を与える物質３が施されていることを特徴とする。この物質３の作用により、腰痛の防止を効果的に図ることができる。
【０００８】
前記帯体２に施される前記人体に良い影響を与える物質３として、トルマリンや竹炭などの天然鉱石の配合によりマイナスイオンを放出する物質を施すことが、腰痛の防止と人体の生理の活性化のために望ましい。上記物質は、粉体状若しくは粒体状として伸縮帯体２の少なくとも緯糸を形成するポリウレタンゴムに練り込むようにして施こすことができる。腰部のテープから放出されるマイナスイオンにより、血流が促進され腰痛の防止及び腰痛の緩和効果が期待できる。
【０００９】
前記帯体２は、その前部（腹部）２ａの上下幅（ａ）と後部（背部）２Ａの上下幅（Ａ）との比を、例えば、略３cm対略５cmとすることができる。上位の比を、例えば、略３cm対略１０cmとして、後部（背部）２Ａの上下幅（Ａ）をより幅広とすることができる。
【考案の効果】
【００１０】
本考案のパンツ・トランクスなどの類では、広幅の後部（背部）２Ａ側が人体の腰部に十分な幅をもってフィットし、腰部を支持し、腰痛の防止を図ることができる。しかも、前部（腹部）２ａ側は幅狭であるところから、腹部に対する圧迫感を最小限度とすることができる。
【００１１】
また、上記帯体２に、遠赤外線、超電磁波、磁気、マイナスイオンなどの放射などにより人体に良い影響を与える物質３を施こすことにより、腰痛の防止を効果的に図ることができる。帯体２の前部（腹部）２ａ側は幅狭であるところから、上記腰痛を防止する比較的高価な物質３の使用は最小限度で良く、安価に提供できる。
【考案を実施するための最良の形態】
【００１２】
以下、本考案を実施するための実施の形態を、図面を参照しながら、具体的に説明する。
図１に示すパンツ・トランクスなどの類では、その本体１上縁のウエスト部の伸縮性帯体２は、その上下方向の幅が、前部（腹部）２ａ側の幅ａよりも後部（背部）２Ａ側の幅Ａの方が広幅に形成されている。帯体２の前部（腹部）２ａと後部（背部）２Ａとは、帯体２の両側部を介して傾斜状になめらかに連続している。上記パンツ・トランクスなどの類には、トランクス、パンツ、パンティー、ステテコなどの履いて使用する男性用又は女性用下着若しくはショートパンツやトレパンなどのスポーツ着の類が含まれる。また、帯体２としては、一般には、少なくとも緯糸に合成又は天然繊維を使用する伸縮性のゴム質織物が用いられる。
【００１３】
上記帯体２は、その前部（腹部）２ａの上下幅（ａ）と後部（背部）２Ａの上下幅（Ａ）との比を、例えば、略３cm対略５cmとしている。上位の比を、例えば、略３cm対略１０cmとして、後部（背部）２Ａの上下幅（Ａ）をより幅広とすることができる。
【００１４】
上記帯体２には、遠赤外線、超電磁波、磁気、マイナスイオンなどの放射などにより人体に良い影響を与える物質３が施されている。
【００１５】
このような人体に良い影響を与える物質３として、トルマリンや竹炭などの天然鉱石の配合によりマイナスイオンを放出する物質を帯体２を構成するポリウレタンゴムに粉体状若しくは粒体状として練り込むようにして施す。これにより、帯体２の製造が容易となる。また、腰痛の防止と人体の生理の活性化のために十分有効である。
【図面の簡単な説明】
【００１６】
【図１】本考案に係るパンツ・トランクスなどの類の正面図である。
【図２】同、要部の断面図である。
【図３】帯体の展開図である。
【符号の説明】
【００１７】
１  本体
２  帯体、２Ａ    後部（背部）、２ａ    前部（腹部）
３  物質
【図１】
0003111055.tif 000003
【図２】
0003111055.tif 000004
【図３】
0003111055.tif 000005